(57)【要約】【課題】ＥＭＩを抑制することができ、画質の低下要因となる明暗縞が目立つこともないデータドライバを提供する。【解決手段】２次元マトリクス状に配列された画素を有する表示部を駆動するために用いられるデータドライバであって、値の異なる複数の基準電圧が印加され、基準電圧および基準電圧を分圧した電圧を出力する複数の出力ノードを有する抵抗回路、入力される階調信号の値に応じて複数の出力ノードのいずれかを選択して、階調信号の値に応じた電圧を出力させるセレクタ部、及び、入力される階調信号が所定の高階調範囲または所定の低階調範囲に含まれる場合に、セレクタ部による出力ノードの選択動作を遅らせるように制御する位相差制御部を備えている。【選択図】  図２
2016099372.tif 000002
【特許請求の範囲】
【請求項１】
２次元マトリクス状に配列された画素を有する表示部を駆動するために用いられるデータドライバであって、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
データドライバ。
【請求項２】
データドライバは、階調信号の値に対応した位相の調整量を格納したテーブルを更に備えており、
位相差制御部は、入力した階調信号に応じてテーブルに納められたデータを参照して、セレクタ部の動作を制御する、
請求項１に記載のデータドライバ。
【請求項３】
表示色が異なる複数種の副画素を駆動する際に、
少なくともいずれか１種類の副画素の駆動について、入力される階調信号が所定の高階調範囲または所定の低階調範囲に含まれる場合に、セレクタ部による出力ノードの選択動作を遅らせるように制御する、
請求項１に記載のデータドライバ。
【請求項４】
最も視感度が高い色を表示する副画素の駆動について、入力される階調信号が所定の高階調範囲または所定の低階調範囲に含まれる場合に、セレクタ部による出力ノードの選択動作を遅らせるように制御する、
請求項３に記載のデータドライバ。
【請求項５】
白色を表示する副画素の駆動について、入力される階調信号が所定の高階調範囲または所定の低階調範囲に含まれる場合に、セレクタ部による出力ノードの選択動作を遅らせるように制御する、
請求項３に記載のデータドライバ。
【請求項６】
位相差制御部は、入力される階調信号が所定の高階調範囲または所定の低階調範囲に含まれ、且つ、入力される階調信号と入力される階調信号の前段の階調信号との差の絶対値が所定の基準値を超える場合に、セレクタ部による出力ノードの選択動作を遅らせるように制御する、
請求項１に記載のデータドライバ。
【請求項７】
２次元マトリクス状に配列された画素を有する表示部、及び、
表示部を駆動するために用いられるデータドライバ、
を含んでおり、
データドライバは、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
表示装置。
【請求項８】
表示装置を備えた電子機器であって、
表示装置は、
２次元マトリクス状に配列された画素を有する表示部、及び、
表示部を駆動するために用いられるデータドライバ、
を含んでおり、
データドライバは、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
電子機器。
【発明の詳細な説明】
【技術分野】
【０００１】
本開示は、データドライバ、係るデータドライバを備えた表示装置、係る表示装置を備えた電子機器に関する。
【背景技術】
【０００２】
エレクトロルミネッセンス表示パネルなどの表示部を備えた表示装置にあっては、画像を表示するために、画像の階調に応じた電圧を発生するデータドライバが用いられる。複数の基準電圧および基準電圧をラダー抵抗（ガンマ抵抗）などから成る抵抗回路によって分圧した電圧の中から、階調信号の値に応じた電圧を適宜選択して出力するといった構成のデータドライバが知られている。
【０００３】
表示パネルなどの高精細度化に伴い、データドライバにおいても高速な動作が求められている。しかしながら、高速な動作に伴い不要輻射（ＥＭＩ：Electro-Magnetic Interference）も増加する。ＥＭＩの増加は電子回路の誤動作の要因となるので、これを抑制する必要がある。例えば、特開２００９−２５１５２４号公報（特許文献１）では、データドライバを構成する複数のソースドライバにおいて、ソースドライバ毎に動作タイミングを意図的にずらすことによってソースドライバの動作に伴い発生する放射ノイズを干渉させるといったことが行われている。
【先行技術文献】
【特許文献】
【０００４】
【特許文献１】特開２００９−２５１５２４号公報
【発明の概要】
【発明が解決しようとする課題】
【０００５】
上述した特許文献１のようにソースドライバ毎に動作タイミングを意図的にずらすといった構成にあっては、表示部に表示される画像において、各ソースドライバに対応するような周期的な明暗縞が生ずるといった現象が起こることが考えられる。このような明暗縞は画質を低下させる要因となる。
【０００６】
従って、本開示の目的は、ＥＭＩを抑制することができ、画質の低下要因となる明暗縞が目立つこともないデータドライバ、係るデータドライバを備えた表示装置、及び、係る表示装置を備えた電子機器を提供することにある。
【課題を解決するための手段】
【０００７】
上記の目的を達成するための本開示の第１の態様に係るデータドライバは、
２次元マトリクス状に配列された画素を有する表示部を駆動するために用いられるデータドライバであって、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えているデータドライバである。
【０００８】
上記の目的を達成するための本開示の第１の態様に係る表示装置は、
２次元マトリクス状に配列された画素を有する表示部、及び、
表示部を駆動するために用いられるデータドライバ、
を含んでおり、
データドライバは、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
表示装置である。
【０００９】
上記の目的を達成するための本開示の第１の態様に係る電子機器は、
表示装置を備えた電子機器であって、
表示装置は、
２次元マトリクス状に配列された画素を有する表示部、及び、
表示部を駆動するために用いられるデータドライバ、
を含んでおり、
データドライバは、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
電子機器である。
【発明の効果】
【００１０】
本開示の第１の態様に係るデータドライバによれば、入力される階調信号が所定の高階調範囲または所定の低階調範囲に含まれる場合に、セレクタ部による出力ノードの選択動作を遅らせるように制御される。これによって、データドライバの出力する電圧や電流が変化するタイミングが分散されるので、ＥＭＩが抑制される。そして、入力される階調信号の値に基づいた制御がされるので、周期的な明暗縞が目立つといったこともない。本開示に記載された効果は例示であって限定されるものではなく、また、付加的な効果があってもよい。
【図面の簡単な説明】
【００１１】
【図１】図１は、第１の実施形態に係る表示装置の概念図である。
【図２】図２は、表示装置に用いられるデータドライバの構成を説明するための模式的な回路図である。
【図３】図３は、第ｎ番目のデータ線の駆動に寄与する部分のデータドライバの構成を説明するための模式的な回路図である。
【図４】図４は、データドライバを構成するスイッチ素子のオン抵抗を説明するための模式的なグラフである。
【図５】図５は、参考例のデータドライバの構成を説明するための模式的な回路図である。
【図６】図６Ａは、基準電圧を選択して出力する場合の動作を説明するための模式的な回路図である。図６Ｂは、出力ノードの電圧を選択して出力する場合の動作を説明するための模式的な回路図である。
【図７】図７Ａは、出力アンプから出力される出力電圧とスルーレートとの関係を説明するための模式的なグラフである。図７Ｂは、出力アンプから出力される出力電圧とスルーレートの余裕との関係を説明するための模式的なグラフである。
【図８】図８Ａは、赤色、緑色、青色を表示する副画素を有する表示部を駆動する場合のデータドライバの接続関係を説明するための模式図である。図８Ｂは、赤色、緑色、青色のうち最も視感度が高い緑色を表示する副画素の駆動においてセレクタによる出力ノードの選択制御を行う場合の例を説明する模式図である。
【図９】図９は、テーブルの構成などを説明するための表である。
【図１０】図１０Ａは、赤色、緑色、青色を表示する副画素を有する表示部を駆動する場合のデータドライバの接続関係を説明するための模式図である。図１０Ｂは、赤色、緑色、青色のうち最も視感度が高い緑色を表示する副画素と２番目に視感度が高い赤色を表示する副画素との駆動においてセレクタによる出力ノードの選択制御を行う場合の例を説明する模式図である。
【図１１】図１１は、テーブルの構成などを説明するための表である。
【図１２】図１２Ａは、赤色、緑色、青色、白色を表示する副画素を有する表示部を駆動する場合のデータドライバの接続関係を説明するための模式図である。図１３Ｂは、赤色、緑色、青色、白色を表示する副画素を有する表示部を駆動する際に、白色を表示する副画素の駆動においてセレクタによる出力ノードの選択制御を行う場合の例を説明する模式図である。
【図１３】図１３Ａは、オフセット書き込み動作を伴う駆動を説明するための模式的なグラフである。図１３Ｂは、オフセット書き込み動作を伴わない駆動を説明するための模式的なグラフである。
【図１４】図１４は、実施形態の表示装置の適用例１の外観を表す斜視図である。
【図１５】図１５は、実施形態の表示装置の適用例２の外観を表す斜視図である。
【発明を実施するための形態】
【００１２】
以下、図面を参照して、実施形態に基づいて本開示を説明する。本開示は実施形態に限定されるものではなく、実施形態における種々の数値や材料は例示である。以下の説明において、同一要素または同一機能を有する要素には同一符号を用いることとし、重複する説明は省略する。尚、説明は、以下の順序で行う。
１．本開示に係るデータドライバ、係るデータドライバを備えた表示装置、係る表示装置を備えた電子機器、全般に関する説明
２．第１の実施形態、その他
【００１３】
［本開示に係るデータドライバ、係るデータドライバを備えた表示装置、係る表示装置を備えた電子機器、全般に関する説明］
本開示の第１の態様に係るデータドライバ、本開示の第１の態様に係る表示装置に用いられるデータドライバ、本開示の第１の態様に係る電子機器に用いられるデータドライバ（以下、これらを単に、本開示の第１の態様に係るデータドライバと呼ぶ場合がある）にあっては、位相差制御部によって、入力される階調信号が所定の高階調範囲または所定の低階調範囲に含まれる場合に、セレクタ部による出力ノードの選択動作を遅らせるように制御される。所定の高階調範囲および所定の低階調範囲は、データドライバの構成や仕様に応じて、適宜好適な範囲を選択して設定すればよい。
【００１４】
本開示に係るデータドライバにあっては、階調信号の値に対応した位相の調整量を格納したテーブルを更に備えており、位相差制御部は、入力した階調信号に応じてテーブルに納められたデータを参照して、セレクタ部の動作を制御する構成とすることができる。位相の調整量は、データドライバや表示部の設計に応じて、実験などによって適宜好適な値を選定して設定すればよい。
【００１５】
表示部は、所謂モノクロ表示の構成であってもよいし、カラー表示の構成であってもよい。表示部がカラー表示の構成である場合、１つの画素は表示色が異なる複数種の副画素から構成される。通常、１つの画素は、赤色を表示する副画素、緑色を表示する副画素、青色を表示する副画素といった３種の副画素から成る構成される。これらの３種の副画素に更に輝度向上のために白色を表示する副画素を加えるなどといった構成であってもよい。
【００１６】
上述した各種の好ましい構成を含む本開示の第１の態様に係るデータドライバ（以下、これらを単に、本開示のデータドライバと呼ぶ場合がある）にあっては、発光色が異なる複数種の副画素を駆動する際に、少なくともいずれか１種類の副画素の駆動について、入力される階調信号が所定の高階調範囲または所定の低階調範囲に含まれる場合に、セレクタ部による出力ノードの選択動作を遅らせるように制御する構成とすることができる。
【００１７】
この場合において、最も視感度が高い色を表示する副画素の駆動について、入力される階調信号が所定の高階調範囲または所定の低階調範囲に含まれる場合に、セレクタ部による出力ノードの選択動作を遅らせるように制御する構成とすることができる。
【００１８】
上述したように、表示部がカラー表示の構成である場合、通常、１つの画素は、赤色を表示する副画素、緑色を表示する副画素、青色を表示する副画素といった３種の副画素から成る構成される。この場合、最も視感度が高い緑色を表示する副画素の駆動の際に、上述した制御を行うといった構成とすることができる。尚、緑色の副画素と、緑色に次いで視感度が高い赤色の副画素といった２種の副画素の駆動の際に上述した制御を行うといった構成とすることができる。更には、緑色の副画素と、赤色の副画素、青色の副画素といった３種の副画素の駆動の際に上述した制御を行うといった構成とすることができる。
【００１９】
あるいは又、白色を表示する副画素の駆動について、入力される階調信号が所定の高階調範囲または所定の低階調範囲に含まれる場合に、セレクタ部による出力ノードの選択動作を遅らせるように制御する構成とすることができる。
【００２０】
例えば、カラー表示の表示部において、輝度向上のための白色を表示する副画素を加えるといった場合において、白色を表示する副画素の駆動の際に、上述した制御を行うといった構成とすることができる。
【００２１】
上述した各種の好ましい構成を含む本開示のデータドライバにおいて、位相差制御部は、入力される階調信号が所定の高階調範囲または所定の低階調範囲に含まれ、且つ、入力される階調信号と入力される階調信号の前段の階調信号との差の絶対値が所定の基準値を超える場合に、セレクタ部による出力ノードの選択動作を遅らせるように制御する構成とすることができる。所定の基準値は、データドライバの構成や仕様に応じて、適宜好適な範囲を選択して設定すればよい。
【００２２】
データドライバは、各構成部分が集積され一体となった構成であってもよいし、適宜別体として構成されていてもよい。各構成部分が集積された構成の場合には、チップ上に形成されたポリシリコン抵抗などを用いて抵抗回路を構成することができる。基準電圧を発生する回路はオペアンプなどの周知の回路素子を用いて構成することができる。セレクタ部や位相差制御部などを構成する各種回路は、記憶回路や論理回路などといった周知の回路から構成することができ、これらも、周知の回路素子を用いて構成することができる。尚、後述する図１に示す走査部や電源部も、周知の回路素子を用いて構成することができる。
【００２３】
本開示の表示装置に用いられる表示部として、液晶表示パネルやエレクトロルミネッセンス表示パネルなどといった、周知の表示パネルを例示することができる。表示部の構成は、表示装置としての動作に支障がない限り、特に限定するものではない。
【００２４】
表示部の画素（ピクセル）の値として、Ｕ−ＸＧＡ（１６００，１２００）、ＨＤ−ＴＶ（１９２０，１０８０）、Ｑ−ＸＧＡ（２０４８，１５３６）の他、（３８４０，２１６０）、（７６８０，４３２０）等、画像表示用解像度の幾つかを例示することができるが、これらの値に限定するものではない。
【００２５】
本明細書における各種の条件は、数学的に厳密に成立する場合の他、実質的に成立する場合にも満たされる。設計上あるいは製造上生ずる種々のばらつきの存在は許容される。
【００２６】
以下の説明で用いるタイミングチャートにおいて、各期間を示す横軸の長さ（時間長）は模式的なものであり、各期間の時間長の割合を示すものではない。縦軸においても同様である。また、タイミングチャートにおける波形の形状も模式的なものである。
【００２７】
［第１の実施形態］
第１の実施形態は、本開示の第１の態様に係るデータドライバ、係るデータドライバを備えた表示装置、係る表示装置を備えた電子機器に関する。
【００２８】
図１は、第１の実施形態に係る表示装置の概念図である。尚、図示の都合上、図１においては、１つの表示素子１０、より具体的には、後述する第（ｎ，ｍ）番目の表示素子１０についての結線関係を示した。
【００２９】
表示装置１は、電流駆動型の発光部と発光部を駆動する駆動回路とを含む表示素子１０が、行方向（図１においてＸ方向）に延びる走査線ＳＣＬと列方向（図１においてＹ方向）に延びるデータ線ＤＴＬとに接続された状態で２次元マトリクス状に配列された表示部２、及び、データ線ＤＴＬに電圧を印加するデータドライバ１０２を備えている。走査線ＳＣＬには、走査部１０１から走査信号が供給される。表示素子１０を構成する発光部ＥＬＰは、例えば有機エレクトロルミネッセンス発光部から成る。
【００３０】
表示部２は、更に、行方向に並ぶ表示素子１０に接続される給電線ＰＳ１と、全ての表示素子１０に共通に接続される第２の給電線ＰＳ２を備えている。給電線ＰＳ１には、電源部１００から所定の駆動電圧が供給される。第２の給電線ＰＳ２には、共通の電圧（例えば接地電位）が供給される。
【００３１】
図１では図示されていないが、表示部２が画像を表示する領域（表示領域）は、行方向にＮ個、列方向にＭ個、合計Ｎ×Ｍ個の、２次元マトリクス状に配列された表示素子１０から構成されている。表示領域における表示素子１０の行数はＭであり、各行を構成する表示素子１０の数はＮである。
【００３２】
また、走査線ＳＣＬ及び給電線ＰＳ１の本数はそれぞれＭ本である。第ｍ行目（但し、ｍ＝１，２・・・，Ｍ）の表示素子１０は、第ｍ番目の走査線ＳＣＬm及び第ｍ番目の給電線ＰＳ１mに接続されており、１つの表示素子行を構成する。尚、図１では、給電線ＰＳ１mのみが示されている。
【００３３】
また、データ線ＤＴＬの本数はＮ本である。第ｎ列目（但し、ｎ＝１，２・・・，Ｎ）の表示素子１０は、第ｎ番目のデータ線ＤＴＬnに接続されている。尚、図１では、データ線ＤＴＬnのみが示されている。
【００３４】
表示装置１は、例えばカラー表示の表示装置であり、１つの表示素子１０が１つの副画素を構成する。図示は省略するが、行方向に並ぶ赤色を表示する副画素、緑色を表示する副画素、青色を表示する副画素の組によって、１つの画素が構成される。従って、表示部２は、２次元マトリクス状に配列された画素、より具体的には、行方向にＮ／３個、列方向にＭ個の画素を有する。
【００３５】
走査部１０１からの走査信号によって、表示装置１は行単位で線順次走査される。第ｍ行、第ｎ列目に位置する表示素子１０を、以下、第（ｎ，ｍ）番目の表示素子１０あるいは第（ｎ，ｍ）番目の副画素と呼ぶ。
【００３６】
表示装置１にあっては、第ｍ行目に配列されたＮ個の副画素のそれぞれを構成する表示素子１０が同時に駆動される。換言すれば、行方向に沿って配されたＮ個の表示素子１０にあっては、その発光／非発光のタイミングは、それらが属する行単位で制御される。表示装置１の表示フレームレートをＦＲ（回／秒）と表せば、表示装置１を行単位で線順次走査するときの１行当たりの走査期間（いわゆる水平走査期間）は、（１／ＦＲ）×（１／Ｍ）秒未満である。
【００３７】
後で詳しく説明をするが、第１の実施形態に係るデータドライバ１０２は、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている。
【００３８】
また、後で詳しく説明をするが、データドライバ１０２は、階調信号の値に対応した位相の調整量を格納したテーブルを更に備えており、
位相差制御部は、入力した階調信号に応じてテーブルに納められたデータを参照して、セレクタ部の動作を制御する。
【００３９】
表示装置１のデータドライバ１０２には、例えば図示せぬ装置から、表示すべき画像に応じた階調信号ＤSigが入力される。入力される階調信号ＤSigのうち、第（ｎ，ｍ）番目の表示素子１０に対応する階調信号をＤSig(n,m)と表す場合がある。
【００４０】
説明の都合上、階調信号ＤSig(n,m)の階調ビット数は１２ビットであるとする。階調値は、表示すべき画像の輝度に応じて、０ないし４０９５のいずれかの値となる。ここでは、階調値が大きいほど表示すべき画像の輝度が高いものとする。尚、上述の階調ビット数は例示に過ぎない。８ビット、１６ビットおよび２４ビットなどといった階調ビット数とした構成であってもよい。
【００４１】
表示素子１０は、電流駆動型の発光部ＥＬＰ、書込みトランジスタＴＲW、駆動トランジスタＴＲD、及び、容量部Ｃ1を少なくとも備えており、駆動トランジスタＴＲDのソース／ドレイン領域を介して発光部ＥＬＰに電流が流れると発光する。
【００４２】
容量部Ｃ1は、駆動トランジスタＴＲDのソース領域に対するゲート電極の電圧（所謂ゲート−ソース間電圧）を保持するために用いられる。表示素子１０の発光状態においては、駆動トランジスタＴＲDの一方のソース／ドレイン領域（図１において給電線ＰＳ１に接続されている側）はドレイン領域として働き、他方のソース／ドレイン領域（発光部ＥＬＰの一端、具体的には、アノード電極に接続されている側）はソース領域として働く。容量部Ｃ1を構成する一方の電極と他方の電極は、それぞれ、駆動トランジスタＴＲDの他方のソース／ドレイン領域とゲート電極に接続されている。
【００４３】
書込みトランジスタＴＲWは、走査線ＳＣＬnに接続されたゲート電極と、データ線ＤＴＬnに接続された一方のソース／ドレイン領域と、駆動トランジスタＴＲDのゲート電極に接続された他方のソース／ドレイン領域とを有する。
【００４４】
駆動トランジスタＴＲDのゲート電極は、書込みトランジスタＴＲWの他方のソース／ドレイン領域と容量部Ｃ1の他方の電極とに接続されており、駆動トランジスタＴＲDの他方のソース／ドレイン領域は、容量部Ｃ1の一方の電極と発光部ＥＬＰのアノード電極とに接続されている。
【００４５】
発光部ＥＬＰの他端（具体的には、カソード電極）は、第２の給電線ＰＳ２に接続されている。発光部ＥＬＰの容量を符号ＣELで表す。
【００４６】
データドライバ１０２からデータ線ＤＴＬnに、表示すべき画像の輝度に応じた電圧が供給された状態で、走査部１０１からの走査信号により書込みトランジスタＴＲWが導通状態とされると、容量部Ｃ1に表示すべき画像の輝度に応じた電圧が書き込まれる。書込みトランジスタＴＲWが非導通状態とされた後、容量部Ｃ1に保持された電圧に応じて駆動トランジスタＴＲDに電流が流れ、発光部ＥＬＰが発光する。
【００４７】
図２は、表示装置に用いられるデータドライバの構成を説明するための模式的な回路図である。尚、データドライバ１０２は１つの半導体集積回路として構成されているとして説明するが、これは例示にすぎない。例えば、Ｎ本のデータ線ＤＴＬを複数の半導体集積回路によって駆動するといった態様であってもよい。
【００４８】
データドライバ１０２は、階調信号が入力される前段のデジタル部と、階調信号の値に応じた電圧を出力する後段のアナログ部とに大別される。デジタル部は、入力信号処理部１０２Ａ、ラインバッファ１０２Ｂ、位相差制御部１０２Ｃ、テーブル１０２Ｄなどから構成されている。
【００４９】
アナログ部は、抵抗回路１０２Ｅ、レベルシフタ１０２Ｆ、セレクタ部１０２Ｇ、出力アンプ１０２Ｈなどから構成されている。レベルシフタ１０２Ｆ、セレクタ部１０２Ｇ、出力アンプ１０２Ｈは、各データ線ＤＴＬに対応してＮ個ずつ設けられている。抵抗回路１０２Ｅは各セレクタ部１０２Ｇについて共通に用いられる。
【００５０】
抵抗回路には、値の異なる複数の基準電圧が印加される。図に示す例では、符号ＶＧＡＭ0ないしＶＧＡＭ17で示す基準電圧が外部から印加される。各基準電圧は、ＶＧＡＭ17＞ＶＧＡＭ16＞ＶＧＡＭ15＞・・・＞ＶＧＡＭ1＞ＶＧＡＭ0といった高低関係を満たすように設定されている。これらの基準電圧は、例えばオペアンプなどから供給される。
【００５１】
前段のデジタル部には、シリアル通信方式の差動信号として階調信号ＤSig(1,1)ないしＤSig(N,M)を含む信号が入力される。入力信号処理部１０２Ａは、表示すべき画像に応じて入力される信号について所定の処理を行い、デジタルデータとしての階調信号ＤSig(1,1)ないしＤSig(N,M)を出力する。
【００５２】
表示装置１を行単位で線順次走査するために、信号の処理は各行毎に行われる。説明の都合のため、以下、第ｍ行目の副画素に対応する処理を行うとして説明する。
【００５３】
ラインバッファ１０２Ｂは、例えば半導体メモリから構成されており、入力信号処理部１０２Ａがシリアルデータとして出力する第ｍ行目の階調信号ＤSig(1,m)ないしＤSig(N,m)を保持する。
【００５４】
位相差制御部１０２Ｃは、階調信号ＤSig(1,m)ないしＤSig(N,m)の値に基づいてテーブル１０２Ｄを参照し、制御信号ＤＳ1ないしＤＳNをレベルシフタ１０２Ｆ1ないし１０２ＦNに送ることで、各データ線ＤＴＬに対応するレベルシフタ１０２Ｆがセレクタ部１０２Ｇを制御するタイミングを制御する。具体的な動作については、後述する図８ないし図１３を参照して、後で詳しく説明する。
【００５５】
セレクタ部１０２Ｇ1ないし１０２ＧNのそれぞれは、階調信号ＤSig(1,m)ないしＤSig(N,m)のそれぞれに応じた出力ノードを選択する。出力アンプ１０２Ｈ1ないし１０２ＨNのそれぞれは、対応するセレクタ部１０２Ｇが選択した出力ノードの電圧に基づいて出力電圧Ｙ1ないしＹNをデータ線ＤＴＬ1ないしＤＴＬNに供給する。
【００５６】
図３は、第ｎ番目のデータ線の駆動に寄与する部分のデータドライバの構成を説明するための模式的な回路図である。
【００５７】
抵抗回路１０２Ｅは、隣接する基準電圧の間に複数直列に接続された符号Ｒｏで示す抵抗素子によって構成される。
【００５８】
図２に示す例では、基準電圧ＶＧＡＭ17と基準電圧ＶＧＡＭ16との間に複数の抵抗素子Ｒｏが直列に接続され、階調値４０９５ないし３８４０に対応する電圧を出力する出力ノードＮＤ4095ないしＮＤ3840が形成される。隣接する他の基準電圧の間においても、基本的に同様の構成である。
【００５９】
表示部２の仕様にもよるが、基準電圧ＶＧＡＭ17は、例えば数ボルトないし数十ボルトといった値に設定される。出力ノードＮＤ4095ないしＮＤ0が出力する電圧が線形に変化するように、基準電圧の値や、隣接する基準電圧の間に複数直列に接続される抵抗素子Ｒｏの数などが設定されている。但し、本開示は、このような構成に限定するものではない。例えば、表示部２における特性の非線形性を補償するように、各出力ノードＮＤの電圧が非線形に変化するように設定されている構成であってもよい。
【００６０】
出力ノードＮＤ4095ないしＮＤ0のそれぞれは、例えばトランジスタから成るスイッチ素子ＳＷ4095ないしＳＷ0を介して、出力アンプ１０２Ｈnの入力側に接続されている。そして、スイッチ素子ＳＷ4095ないしＳＷ0の導通／非導通は、選択回路から制御線ＳＬ4095ないしＳＬ0に供給される信号によって制御される。
【００６１】
出力アンプ１０２Ｈnの出力側は、表示部２のデータ線ＤＴＬnに接続されている。従って、出力アンプ１０２Ｈnの出力する電圧によって、データ線ＤＴＬnが駆動される。符号ＲｐDTL，ＣｐDTLはデータ線ＤＴＬnの抵抗成分と寄生容量を示す。
【００６２】
例えば、階調値４０９５の画像を表示するときには、スイッチ素子ＳＷ4095が選択されて出力アンプ１０２Ｈnの入力側に出力ノードＮＤ4095が接続され、階調値４０９４の画像を表示するときには、スイッチ素子ＳＷ4094が選択されて出力アンプ１０２Ｈnの入力側に出力ノードＮＤ4094が接続され、階調値４０９３の画像を表示するときには、スイッチ素子ＳＷ4093が選択されて出力アンプ１０２Ｈnの入力側に出力ノードＮＤ4093が接続される。他の階調値の表示においても同様である。
【００６３】
スイッチ素子ＳＷは、例えば、ＭＯＳトランジスタから構成することができる。スイッチ素子ＳＷの選択時におけるゲート−ソース間電圧は、選択する出力ノードＮＤの電圧によって定まる。従って、選択時のゲート電圧が同じであっても、接続先の出力ノードＮＤが異なれば、スイッチ素子ＳＷのオン抵抗は異なる値となる。
【００６４】
図４は、データドライバを構成するスイッチ素子のオン抵抗を説明するための模式的なグラフである。
【００６５】
図４に示すように、スイッチ素子ＳＷを全て同じ導電型のトランジスタ（例えば、全てｐＭＯＳ、あるいは、全てｎＭＯＳ）とすると、低階調側であるほど、あるいは、高階調側であるほどオン抵抗が高くなるといった現象が起こる。
【００６６】
データドライバ１０２の高速化などといった観点からは、スイッチ素子ＳＷのオン抵抗は低いことが望ましい。このため、セレクタ部１０２Ｇにおいて、高階調側のスイッチ素子ＳＷはｐＭＯＳトランジスタ、低階調側のスイッチ素子ＳＷはｎＭＯＳトランジスタから構成されている。尚、階調の範囲を所定の高階調範囲、所定の低階調範囲、高階調範囲と低階調範囲との間の中階調範囲に三分したとすれば、高階調範囲を表示する際のスイッチ素子ＳＷのオン抵抗や低階調範囲を表示する際のスイッチ素子ＳＷのオン抵抗は、中階調の範囲を表示する際のスイッチ素子ＳＷのオン抵抗よりも相対的に低くなる。
【００６７】
ここで、本開示の理解を助けるため、図２に示す位相差制御部１０２Ｃなどを廃した構成、具体的には、レベルシフタ１０２Ｆのタイミング制御を行わない参考例のデータドライバにおけるスルーレートについて説明する。
【００６８】
図５は、参考例のデータドライバ１０２’の構成を説明するための模式的な回路図である。図６Ａは、基準電圧を選択して出力する場合の動作を説明するための模式的な回路図である。図６Ｂは、出力ノードの電圧を選択して出力する場合の動作を説明するための模式的な回路図である。
【００６９】
図６Ａは、基準電圧ＶＧＡＭ17を選択して出力する場合を模式的に示す。この場合、出力ノードＮＤ4095から出力アンプ１０２Ｈnの入力側に至るまでの経路には、抵抗回路１０２Ｅを形成する抵抗素子Ｒｏは介在しない。従って、経路の抵抗成分Ｒｐと寄生容量Ｃｐが主に信号の伝播に影響を与える。
【００７０】
図６Ｂは、出力ノードＮＤ4093の電圧を選択して出力する場合を模式的に示す。この場合、出力ノードＮＤ4093から出力アンプ１０２Ｈnの入力側に至るまでの経路には、抵抗回路１０２Ｅを形成する抵抗素子Ｒｏが介在する。従って、経路の抵抗成分Ｒｐと寄生容量Ｃｐに加えて、更に抵抗素子Ｒｏが信号の伝播に影響を与える。定性的には、図６Ａに比べてより信号の遅延が大きくなる。また、経路に介在する抵抗素子Ｒｏの数が増加すればするほど、信号の遅延は大きくなる。
【００７１】
図７Ａは、出力アンプから出力される出力電圧とスルーレートとの関係を説明するための模式的なグラフである。図７Ｂは、出力アンプから出力される出力電圧とスルーレートの余裕との関係を説明するための模式的なグラフである。
【００７２】
上述したように、高階調範囲を表示する際のスイッチ素子ＳＷのオン抵抗や低階調範囲を表示する際のスイッチ素子ＳＷのオン抵抗は、中階調範囲を表示する際のスイッチ素子ＳＷのオン抵抗よりも相対的に低い。そして、基準電圧を分圧した電圧を出力する場合の遅延は、基準電圧を出力する場合の遅延よりも大きくなる。結果として、参考例のデータドライバ１０２’におけるスルーレートは、模式的に図７Ａのように表される。従って、中階調範囲の駆動において支障が生じないのであれば、高階調範囲および低階調範囲の駆動の際には、図７Ｂに示すようなスルーレートの余裕を生ずる。これは、高階調範囲および低階調範囲の駆動を行う場合には、セトリングタイム（整定時間）に余裕があることを意味する。
【００７３】
上述したセトリングタイム（整定時間）の余裕に注目し、第１の実施形態に係るデータドライバ１０２では、入力される階調信号が所定の高階調範囲または所定の低階調範囲に含まれる場合に、セレクタ部１０２Ｇによるノードの選択を遅らせる。これにより、表示部２のデータ線ＤＴＬを駆動する際に流れるデータドライバ１０２全体としての充放電電流の変化を相対的に鈍らせることができるので、データドライバ１０２の動作に伴うＥＭＩも軽減される。また、入力される階調信号の値に応じた制御が行われるので、固定的な明暗縞が発生するといったこともない。
【００７４】
第１の実施形態にあっては、表示色が異なる複数種の副画素を駆動する際に、少なくともいずれか１種類の副画素の駆動について、入力される階調信号が所定の高階調範囲または所定の低階調範囲に含まれる場合に、セレクタ部１０２Ｇによって選択される電圧の変化を遅らせるように制御する構成とすることができる。
【００７５】
最も視感度が高い色を表示する副画素の駆動について、入力される階調信号が所定の高階調の範囲または所定の低階調の範囲に含まれる場合に、セレクタ部１０２Ｇによって選択される電圧の変化を遅らせるように制御する場合について説明する。
【００７６】
図８Ａは、赤色、緑色、青色を表示する副画素を有する表示部を駆動する場合のデータドライバの接続関係を説明するための模式図である。図８Ｂは、赤色、緑色、青色のうち最も視感度が高い緑色を表示する副画素の駆動においてセレクタによる出力ノードの選択制御を行う場合の例を説明する模式図である。図９は、テーブルの構成などを説明するための表である。
【００７７】
この構成にあっては、緑色を表示する副画素の駆動に関与する出力電圧ＹnおよびＹn+3において、高階調および低階調の電圧を出力する際に位相が遅れるように制御される。
【００７８】
図２に示す位相差制御部１０２Ｃは、緑色の表示に関与する階調信号の値に基づいて、テーブル１０２Ｄの値を参照する。テーブル１０２Ｄを構成する不揮発性の記憶装置には、図１０のようなデータが格納されている。位相差制御部１０２Ｃは、テーブル１０２Ｄから読み出した値に対応するように、セレクタ部１０２Ｇの動作タイミングを遅らせるように制御信号ＤＳを生成する。セレクタ部１０２Ｇの動作タイミングを制御することで出力アンプ１０２Ｈの入力タイミングも遅れるように制御されるので、出力電圧ＹnおよびＹn+3が変化するタイミングが遅れるように制御される。
【００７９】
次いで、最も視感度が高い色を表示する副画素と２番目に視感度が高い色を表示する副画素との駆動について、入力される階調信号が所定の高階調の範囲または所定の低階調の範囲に含まれる場合に、セレクタ部１０２Ｇによって選択される電圧の変化を遅らせるように制御する場合について説明する。
【００８０】
図１０Ａは、赤色、緑色、青色を表示する副画素を有する表示部を駆動する場合のデータドライバの接続関係を説明するための模式図である。図１０Ｂは、赤色、緑色、青色のうち最も視感度が高い緑色を表示する副画素と２番目に視感度が高い赤色を表示する副画素との駆動においてセレクタによる出力ノードの選択制御を行う場合の例を説明する模式図である。図１１は、テーブルの構成などを説明するための表である。
【００８１】
この構成にあっては、緑色を表示する副画素の駆動に関与する出力電圧ＹnおよびＹn+3、並びに、赤色を表示する副画素の駆動に関与する出力電圧Ｙn-1およびＹn+2、において、高階調および低階調の電圧を出力する際に位相が遅れるように制御される。
【００８２】
図２に示す位相差制御部１０２Ｃは、緑色の表示に関与する階調信号の値と、赤色の表示に関与する階調信号の値に基づいて、テーブル１０２Ｄの値を参照する。テーブル１０２Ｄには、図１１のようなデータが格納されている。位相差制御部１０２Ｃは、テーブル１０２Ｄから読み出した値に対応するように、セレクタ部１０２Ｇの動作タイミングを遅らせるように制御信号ＤＳを生成する。セレクタ部１０２Ｇの動作タイミングを制御することで出力アンプ１０２Ｈの入力タイミングも遅れるように制御されるので、出力電圧ＹnおよびＹn+3、並びに、出力電圧Ｙn-1およびＹn+2が変化するタイミングが遅れるように制御される。
【００８３】
次いで、白色を表示する副画素の駆動について、入力される階調信号が所定の高階調の範囲または所定の低階調の範囲に含まれる場合に、セレクタ部１０２Ｇによって選択される電圧の変化を遅らせるように制御する場合について説明する。
【００８４】
上述したように、カラー表示の表示部において、上述した３種の副画素に加えて、輝度向上のための白色を表示する副画素を加えるといった構成も考えられる。この場合、１画素は、赤色、緑色、青色を表示する副画素と、白色を表示する副画素から構成される。このような構成において、白色を表示する副画素の駆動の際に、上述した制御を行うといった構成とすることができる。
【００８５】
図１２Ａは、赤色、緑色、青色、白色を表示する副画素を有する表示部を駆動する場合のデータドライバの接続関係を説明するための模式図である。図１２Ｂは、赤色、緑色、青色、白色を表示する副画素を有する表示部を駆動する際に、白色を表示する副画素の駆動においてセレクタによる出力ノードの選択制御を行う場合の例を説明する模式図である。
【００８６】
この構成にあっては、白色を表示する副画素の駆動に関与する出力電圧Ｙn+2およびＹn+4において、高階調および低階調の電圧を出力する際に位相が遅れるように制御される。テーブル１０２Ｄの構成は、基本的には、図９における「赤色駆動の遅延量」を『白色駆動の遅延量』と読み替えればよいので省略する。
【００８７】
以上説明した例では、専ら入力される階調信号の値に基づいてセレクタ部１０２Ｇの制御が行われる。しかしながら、例えば、入力される階調信号と入力される階調信号の前段の階調信号とが同じ値である場合には、データ線ＤＴＬの充放電に伴う電流変化は少ないので、発生するＥＭＩは軽微である。
【００８８】
この点に鑑み、入力される階調信号が所定の高階調範囲または所定の低階調範囲に含まれ、且つ、入力される階調信号と入力される階調信号の前段の階調信号との差の絶対値が所定の基準値を超える場合に、セレクタ部１０２Ｇによって選択される電圧の変化を遅らせるように制御する構成とすることもできる。
【００８９】
この場合には、図２に示す位相差制御部１０２Ｃが、入力される階調信号と入力される階調信号の前段の階調信号との差の絶対値を判定し、その差が所定の基準値を超える場合に限り上述した動作を行うようにすればよい。
【００９０】
表示装置の仕様によっては、映像信号電圧を交互に書き込むといった構成や、プリチャージなどのためのオフセット電圧と映像信号電圧とを併せて書き込むといった構成が考えられる。図１３Ａは、オフセット書き込み動作を伴う駆動を説明するための模式的なグラフである。図１３Ｂは、オフセット書き込み動作を伴わない駆動を説明するための模式的なグラフである。
【００９１】
図１３Ａに示す場合には、例えば、オフセット階調と映像階調との絶対値を判定してその差が所定の基準値を超える場合に限り、映像階調電圧について上述した遅延の制御を行えばよい。
【００９２】
また、図１３Ｂに示す場合には、入力される映像階調とその前段の映像階調との絶対値を判定してその差が所定の基準値を超える場合に限り、映像階調電圧について上述した遅延の制御を行えばよい。
【００９３】
［適用例（電子機器の例）］
上述した表示装置の電子機器への適用例について説明する。電子機器として、外部から入力された映像信号あるいは内部で生成した映像信号を、画像あるいは映像として表示する電子機器を挙げることができる。
（適用例１）
図１４Ａ及び図１４Ｂはそれぞれ、上記の実施形態の表示装置が適用されるスマートフォンの外観を表したものである。このスマートフォン２００，２００’は、例えば、表示画面部２１０，２１０’を有している。この表示画面部２１０，２１０’が上記の実施形態の表示装置により構成されている。上記の実施形態の表示装置を適用することにより、シェーディングを効果的に抑制することができるため、このスマートフォン２００，２００’の品質向上に貢献することができる。
【００９４】
（適用例２）
図１５は、上記の実施形態の表示装置が適用されるテレビジョン装置の外観を表したものである。このテレビジョン装置３００は、例えば、映像表示画面部３０１を有している。この映像表示画面部３０１が実施形態の表示装置により構成されている。上記の実施形態の表示装置を適用することにより、シェーディングを効果的に抑制することができるため、このテレビジョン装置３００の品質向上に貢献することができる。
【００９５】
以上、本開示の実施形態について具体的に説明したが、本開示は、上述の実施形態に限定されるものではなく、本開示の技術的思想に基づく各種の変形が可能である。例えば、上述の実施形態において挙げた数値、構造、基板、原料、プロセスなどはあくまでも例に過ぎず、必要に応じて、これらと異なる数値、構造、基板、原料、プロセスなどを用いてもよい。
【００９６】
なお、本開示の技術は以下のような構成も取ることができる。
［１］
２次元マトリクス状に配列された画素を有する表示部を駆動するために用いられるデータドライバであって、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
データドライバ。
［２］
データドライバは、階調信号の値に対応した位相の調整量を格納したテーブルを更に備えており、
位相差制御部は、入力した階調信号に応じてテーブルに納められたデータを参照して、セレクタ部の動作を制御する、
上記［１］に記載のデータドライバ。
［３］
表示色が異なる複数種の副画素を駆動する際に、
少なくともいずれか１種類の副画素の駆動について、入力される階調信号が所定の高階調範囲または所定の低階調範囲に含まれる場合に、セレクタ部による出力ノードの選択動作を遅らせるように制御する、
上記［１］または［２］に記載のデータドライバ。
［４］
最も視感度が高い色を表示する副画素の駆動について、入力される階調信号が所定の高階調範囲または所定の低階調範囲に含まれる場合に、セレクタ部による出力ノードの選択動作を遅らせるように制御する、
上記［３］に記載のデータドライバ。
［５］
白色を表示する副画素の駆動について、入力される階調信号が所定の高階調範囲または所定の低階調範囲に含まれる場合に、セレクタ部による出力ノードの選択動作を遅らせるように制御する、
上記［３］に記載のデータドライバ。
［６］
位相差制御部は、入力される階調信号が所定の高階調範囲または所定の低階調範囲に含まれ、且つ、入力される階調信号と入力される階調信号の前段の階調信号との差の絶対値が所定の基準値を超える場合に、セレクタ部による出力ノードの選択動作を遅らせるように制御する、
上記［１］ないし［５］のいずれかに記載のデータドライバ。
［７］
２次元マトリクス状に配列された画素を有する表示部、及び、
表示部を駆動するために用いられるデータドライバ、
を含んでおり、
データドライバは、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
表示装置。
［８］
データドライバは、階調信号の値に対応した位相の調整量を格納したテーブルを更に備えており、
位相差制御部は、入力した階調信号に応じてテーブルに納められたデータを参照して、セレクタ部の動作を制御する、
上記［７］に記載の表示装置。
［９］
表示色が異なる複数種の副画素を駆動する際に、
少なくともいずれか１種類の副画素の駆動について、入力される階調信号が所定の高階調範囲または所定の低階調範囲に含まれる場合に、セレクタ部による出力ノードの選択動作を遅らせるように制御する、
上記［７］または［８］に記載の表示装置。
［１０］
最も視感度が高い色を表示する副画素の駆動について、入力される階調信号が所定の高階調範囲または所定の低階調範囲に含まれる場合に、セレクタ部による出力ノードの選択動作を遅らせるように制御する、
上記［９］に記載の表示装置。
［１１］
白色を表示する副画素の駆動について、入力される階調信号が所定の高階調範囲または所定の低階調範囲に含まれる場合に、セレクタ部による出力ノードの選択動作を遅らせるように制御する、
上記［９］に記載の表示装置。
［１２］
位相差制御部は、入力される階調信号が所定の高階調範囲または所定の低階調範囲に含まれ、且つ、入力される階調信号と入力される階調信号の前段の階調信号との差の絶対値が所定の基準値を超える場合に、セレクタ部による出力ノードの選択動作を遅らせるように制御する、
上記［７］ないし［１１］のいずれかに記載の表示装置。
［１３］
表示装置を備えた電子機器であって、
表示装置は、
２次元マトリクス状に配列された画素を有する表示部、及び、
表示部を駆動するために用いられるデータドライバ、
を含んでおり、
データドライバは、
値の異なる複数の基準電圧が印加され、基準電圧および基準電圧を分圧した電圧を出力する複数の出力ノードを有する抵抗回路、
入力される階調信号の値に応じて複数の出力ノードのいずれかを選択して、階調信号の値に応じた電圧を出力させるセレクタ部、及び、
入力される階調信号が所定の高階調範囲または所定の低階調範囲に含まれる場合に、セレクタ部による出力ノードの選択動作を遅らせるように制御する位相差制御部、
を備えている、
電子機器。
［１４］
データドライバは、階調信号の値に対応した位相の調整量を格納したテーブルを更に備えており、
位相差制御部は、入力した階調信号に応じてテーブルに納められたデータを参照して、セレクタ部の動作を制御する、
上記［１３］に記載の電子機器。
［１５］
表示色が異なる複数種の副画素を駆動する際に、
少なくともいずれか１種類の副画素の駆動について、入力される階調信号が所定の高階調範囲または所定の低階調範囲に含まれる場合に、セレクタ部による出力ノードの選択動作を遅らせるように制御する、
上記［１３］または［１４］に記載の電子機器。
［１６］
最も視感度が高い色を表示する副画素の駆動について、入力される階調信号が所定の高階調範囲または所定の低階調範囲に含まれる場合に、セレクタ部による出力ノードの選択動作を遅らせるように制御する、
上記［１５］に記載の電子機器。
［１７］
白色を表示する副画素の駆動について、入力される階調信号が所定の高階調範囲または所定の低階調範囲に含まれる場合に、セレクタ部による出力ノードの選択動作を遅らせるように制御する、
上記［１５］に記載の電子機器。
［１８］
位相差制御部は、入力される階調信号が所定の高階調範囲または所定の低階調範囲に含まれ、且つ、入力される階調信号と入力される階調信号の前段の階調信号との差の絶対値が所定の基準値を超える場合に、セレクタ部による出力ノードの選択動作を遅らせるように制御する、
上記［１３］ないし［１７］のいずれかに記載の電子機器。
【符号の説明】
【００９７】
１・・・表示装置、２・・・表示部、１０・・・表示素子（画素若しくは副画素）、ＳＣＬ・・・走査線、ＤＴＬ・・・データ線、ＰＳ１・・・給電線、ＰＳ２・・・第２の給電線、ＴＲW・・・書込みトランジスタ、ＴＲD・・・駆動トランジスタ、Ｃ1・・・容量部、ＥＬＰ・・・発光部、ＣEL・・・発光部ＥＬＰの容量、１００・・・電源部、１０１・・・走査部、１０２，１０２’・・・データドライバ、１０２Ａ・・・入力信号処理部、１０２Ｂ・・・ラインバッファ、１０２Ｃ・・・位相差制御部、１０２Ｄ・・・テーブル、１０２Ｅ・・・抵抗回路、１０２Ｆ1ないし１０２ＦN・・・レベルシフタ、１０２Ｇ1ないし１０２ＧN・・・セレクタ部、１０２Ｈ1ないし１０２ＨN・・・出力アンプ、ＤＳ1ないしＤＳN・・・制御信号、ＶＧＡＭ0ないしＶＧＡＭ17・・・基準電圧、ＳＬ0ないしＳＬ4095・・・制御線、ＮＤ0ないしＮＤ4095・・・出力ノード、ＳＷ0ないしＳＷ4095・・・スイッチ素子、Ｒｏ・・・抵抗素子、Ｒｐ・・・配線の抵抗成分、Ｃｐ・・・配線の寄生容量、ＲｐDTL・・・データ線の抵抗成分、ＣｐDTL・・・データ線の寄生容量、２００，２００’・・・スマートフォン、２１０，２１０’・・・表示部、３００・・・テレビジョン装置、３１０・・・表示部
【図１】
2016099372.tif 000003
【図２】
2016099372.tif 000004
【図３】
2016099372.tif 000005
【図４】
2016099372.tif 000006
【図５】
2016099372.tif 000007
【図６】
2016099372.tif 000008
【図７】
2016099372.tif 000009
【図８】
2016099372.tif 000010
【図９】
2016099372.tif 000011
【図１０】
2016099372.tif 000012
【図１１】
2016099372.tif 000013
【図１２】
2016099372.tif 000014
【図１３】
2016099372.tif 000015
【図１４】
2016099372.tif 000016
【図１５】
2016099372.tif 000017